(57)【要約】【課題】  本発明は、消音機構を精度良く容易に組み立てることができ、ストッパレールの安定した適正な動作を確保できるとともに、調整やメンテナンスを容易に行うことができるグランド型ピアノの消音機構を提供する。【解決手段】本発明によるグランド型ピアノの消音機構１は、筬４に、回動自在に設けられた複数のレール支持部材２２と、複数のレール支持部材２２に支持され、打弦許容位置と打弦阻止位置に移動可能なストッパレール２１と、筬４に、複数の鍵５の並び方向に互いに間隔を隔てて設けられた複数のロッド支持部材２７と、複数のロッド支持部材２７に回動自在に支持されるとともに、複数の押圧部２６を有する駆動ロッド２５と、駆動ロッド２５を駆動することにより、ストッパレール２１を、打弦許容位置と打弦阻止位置に移動させる駆動機構３１と、を備える。【選択図】図２
2010224026.tif 000002
【特許請求の範囲】
【請求項１】
棚板に沿って引出し自在に構成され、かつ、複数の鍵の押鍵に伴って回動する複数のハンマーを載置したアクションが設けられた筬を有するとともに、前記回動するハンマーによる弦の打弦を許容する通常演奏モードと、前記弦の打弦を阻止する消音演奏モードとに切り替えて演奏されるグランド型ピアノの消音機構であって、
前記筬に、前記複数の鍵の並び方向に互いに間隔を隔てて回動自在に設けられた複数のレール支持部材と、
当該複数のレール支持部材に支持され、前記複数の鍵の並び方向に延びるとともに、前記ハンマーの通過を許容することによって、前記ハンマーによる打弦を許容する打弦許容位置と、前記ハンマーが当接することによって、前記ハンマーによる打弦を阻止する打弦阻止位置とに移動可能なストッパレールと、
前記筬に、前記複数の鍵の並び方向に互いに間隔を隔てて設けられた複数のロッド支持部材と、
前記複数の鍵の並び方向に延び、前記複数のロッド支持部材に回動自在に支持されるとともに、前記複数のレール支持部材をそれぞれ押圧するための複数の押圧部を有する駆動ロッドと、
当該駆動ロッドを駆動することにより、前記複数の押圧部で前記複数のレール支持部材を押圧し、回動させることによって、前記ストッパレールを、前記通常演奏モード時に前記打弦許容位置に移動させるとともに、前記消音演奏モード時に前記打弦阻止位置に移動させる駆動機構と、
を備えることを特徴とするグランド型ピアノの消音機構。
【請求項２】
前記複数のレール支持部材はそれぞれ、前記複数のロッド支持部材に回動自在に取り付けられていることを特徴とする請求項１に記載のグランド型ピアノの消音機構。
【請求項３】
前記複数のレール支持部材は、前記駆動ロッドの前記複数の押圧部に係合するＵ字状の係合部をそれぞれ有し、当該係合部を介して前記押圧部により押圧されることを特徴とする請求項１または２に記載のグランド型ピアノの消音機構。
【請求項４】
前記駆動ロッドは、前記複数の鍵の全体にわたって延びる単一のロッドで構成されていることを特徴とする請求項１ないし３のいずれかに記載のグランド型ピアノの消音機構。
【発明の詳細な説明】
【技術分野】
【０００１】
本発明は、ハンマーによる弦の打弦を、通常演奏モード時に許容するとともに、消音演奏モード時に阻止するためのグランド型ピアノの消音機構に関する。
【背景技術】
【０００２】
従来、この種のグランド型ピアノの消音機構として、例えば特許文献１に開示されたものが知られている。このグランド型ピアノは、複数の鍵や、弦を打弦する複数のハンマー、各鍵の回動に伴って作動し、ハンマーを回動させるアクション、消音機構などを備えている。この消音機構は、複数の支持部材や、ハンマーの回動を阻止するためのストッパレール、複数の支持部材を介してストッパレールを駆動するための駆動ロッド、この駆動ロッドを回動させるための駆動機構などを備えている。以下、このピアノを演奏者から見た手前側を「前」、奥側を「後」として説明する。
【０００３】
上記の複数の支持部材は、筬上のハンマーシャンクレールおよびウイッペンレールに取り付けられた複数の連結部材に、それぞれ回動自在に取り付けられている。また、１つの支持部材は、アクション横木との間に掛け止めされたばねによって、上方に付勢されている。ストッパレールは、弦とハンマーの間に配置され、複数の支持部材にねじ止めされている。
【０００４】
駆動ロッドは、１本の丸棒で構成されており、ハンマーヘッドとピアノ本体の間に高音域部を除いて配置され、複数の鍵の並び方向に延びるとともに、その両端部においてピアノ本体の打ち廻しに回動自在に支持されている。なお、駆動ロッドが高音域部に設けられていないのは、高音域部では、響板などが他の音域よりも前方に突出しており、駆動ロッドを配置できるスペースが存在しないためである。また、駆動ロッドは、ハンマー側に突出する複数の押圧部を一体に有しており、これらの押圧部は、各支持部材に上方から対向している。また、駆動ロッドは、ピアノ本体に設けられたワイヤやモータなどを有する駆動機構に連結されている。
【０００５】
以上の構成により、通常演奏モード時には、ストッパレールは、ばねの付勢によって上方の打弦許容位置に位置している。この状態で鍵が押鍵されると、アクションが作動することによって、ハンマーが上方に回動し、弦を打弦する。一方、消音演奏モード時には、駆動機構による駆動によって、駆動ロッドの各押圧部が各支持部材を上方から押圧することにより、ストッパレールは下方に移動し、打弦阻止位置に保持される。そして、鍵が押鍵されると、ハンマーの回動の途中、弦を打弦する直前で、ハンマーシャンクがストッパレールに当接することによって、ハンマーのそれ以上の回動が阻止され、弦の打弦が阻止される。
【先行技術文献】
【特許文献】
【０００６】
【特許文献１】特開２００６−２２７５４２号公報
【発明の概要】
【発明が解決しようとする課題】
【０００７】
しかし、従来の消音機構では、複数の支持部材やストッパレールなどは筬側に取り付けられるのに対し、ストッパレールを駆動する駆動ロッドは、ピアノ本体側に取り付けられる。このため、ピアノ本体の寸法精度および組立精度のずれや、筬とピアノ本体との両者の位置関係のずれの影響が現れやすく、消音機構を容易に精度良く組み立てることができない。その結果、ストッパレールを所定の打弦許容位置および打弦阻止位置に精度良くセットできないことにより、ストッパレールによる打弦許容動作および打弦阻止動作を適正に行うことができないおそれがある。
【０００８】
また、消音機構の調整やメンテナンスを行うために、支持部材やストッパレールなどを取り付けた筬全体を棚板から引き出すと、駆動ロッドや駆動機構は、ピアノ本体側に残され、支持部材やストッパレールと分離されるため、消音機構全体の調整やメンテナンスが行いにくい。例えば、ピアノ本体側の駆動ロッドなどへのアクセスが容易でなく、また、筬側およびピアノ本体側でそれぞれ調整を行った後に、筬を棚板にセットした状態で消音機構全体の調整具合を確認する必要があり、所望の調整具合が得られない場合には、上記のような調整作業を繰り返し、行うことが必要になる。
【０００９】
また、上述したように、この消音機構では、駆動ロッドが高音域部に設けられていないため、駆動ロッドによってストッパレールの高音域部を直接、押圧することができない。このため、駆動ロッドにより、複数の支持部材を介してストッパレール全体をバランス良く回動させることができず、ストッパレール全体を打弦許容位置および打弦阻止位置に精度良く移動させることができない。また、ストッパレールは、消音演奏モード時に衝突するハンマーシャンクをしっかりと支持できず、打弦阻止動作を適正に行うことができないおそれがある。
【００１０】
本発明は、このような課題を解決するためになされたものであり、消音機構を精度良く容易に組み立てることができ、ストッパレールの安定した適正な動作を確保できるとともに、調整やメンテナンスを容易に行うことができるグランド型ピアノの消音機構を提供することを目的とする。
【課題を解決するための手段】
【００１１】
上記の目的を達成するために、請求項１に係る発明は、棚板に沿って引出し自在に構成され、かつ、複数の鍵の押鍵に伴って回動する複数のハンマーを載置したアクションが設けられた筬を有するとともに、回動するハンマーによる弦の打弦を許容する通常演奏モードと、弦の打弦を阻止する消音演奏モードとに切り替えて演奏されるグランド型ピアノの消音機構であって、筬に、複数の鍵の並び方向に互いに間隔を隔てて回動自在に設けられた複数のレール支持部材と、複数のレール支持部材に支持され、複数の鍵の並び方向に延びるとともに、ハンマーの通過を許容することによって、ハンマーによる打弦を許容する打弦許容位置と、ハンマーが当接することによって、ハンマーによる打弦を阻止する打弦阻止位置とに移動可能なストッパレールと、筬に、複数の鍵の並び方向に互いに間隔を隔てて設けられた複数のロッド支持部材と、複数の鍵の並び方向に延び、複数のロッド支持部材に回動自在に支持されるとともに、複数のレール支持部材をそれぞれ押圧するための複数の押圧部を有する駆動ロッドと、駆動ロッドを駆動することにより、複数の押圧部で複数のレール支持部材を押圧し、回動させることによって、ストッパレールを、通常演奏モード時に打弦許容位置に移動させるとともに、消音演奏モード時に打弦阻止位置に移動させる駆動機構と、を備えることを特徴とする。
【００１２】
このグランド型ピアノの消音機構によれば、通常演奏モード時には、駆動機構が駆動ロッドを駆動することにより、駆動ロッドの複数の押圧部が、複数のレール支持部材を押圧し、回動させることによって、複数のレール支持部材に支持されたストッパレールを打弦許容位置に移動させる。この状態で鍵が押鍵されると、ハンマーが回動し、ストッパレールがハンマーの通過を許容することによって、ハンマーが弦を打弦し、通常演奏が行われる。一方、消音演奏モード時には、駆動機構が駆動ロッドを上記と逆方向に駆動することにより、ストッパレールを打弦阻止位置に移動させる。この状態で鍵が押鍵されると、ハンマーが回動し、その途中でストッパレールと当接することによって、ハンマーによる打弦が阻止され、消音演奏が行われる。
【００１３】
また、この消音機構によれば、複数のレール支持部材および複数のロッド支持部材は、棚板に沿って引出し自在に構成され、複数のハンマーを載置したアクションが設けられた筬に設けられている。ストッパレールは複数のレール支持部材に、駆動ロッドは複数のロッド支持部材に、それぞれ支持されている。このように、複数のレール支持部材、複数のロッド支持部材、ストッパレールおよび駆動ロッドがいずれも、筬側に設けられているので、ピアノ本体の寸法精度および組立精度のずれや、筬とピアノ本体との位置関係のずれに影響されることなく、消音機構を容易に精度良く組み立てることができる。その結果、ストッパレールを所定の打弦許容位置および打弦阻止位置に精度良く移動させることにより、ストッパレールの安定した適正な打弦許容動作および打弦阻止動作を確保することができる。
【００１４】
また、上記と同じ理由から、アクションを筬とともに棚板から引き出した状態で、消音機構を分離することなく、その調整やメンテナンスを一括して容易に行うことができる。
【００１５】
請求項２に係る発明は、請求項１に記載のグランド型ピアノの消音機構において、複数のレール支持部材はそれぞれ、複数のロッド支持部材に回動自在に取り付けられていることを特徴とする。
【００１６】
この構成によれば、ストッパレールを支持する各レール支持部材と駆動ロッドがいずれも、共通のロッド支持部材に取り付けられている。このため、駆動ロッドとレール支持部材を別個の部材に取り付ける場合と比較して、駆動ロッドとストッパレールとの位置関係のずれを抑制でき、その結果、駆動ロッドによる、ストッパレールの打弦許容位置および打弦阻止位置への移動を、さらに精度良く行うことができる。
【００１７】
請求項３に係る発明は、請求項１または２に記載のグランド型ピアノの消音機構において、複数のレール支持部材は、駆動ロッドの複数の押圧部に係合するＵ字状の係合部をそれぞれ有し、係合部を介して押圧部により押圧されることを特徴とする。
【００１８】
この構成によれば、複数のレール支持部材のそれぞれのＵ字状の係合部は、駆動ロッドの各押圧部に係合している。このような係合状態で、駆動ロッドが、押圧部および係合部を介して複数のレール支持部材を駆動することにより、ストッパレールが打弦許容位置および打弦阻止位置に駆動される。
【００１９】
また、各レール支持部材の係合部は、Ｕ字状であることにより、アクションを棚板から引き出した状態で、Ｕ字状の開口を介して係合部と押圧部との係合状態を解除することによって、複数のレール支持部材を、駆動ロッドに対して容易に着脱することができる。このため、アクションの調整やメンテナンスを行う際に、複数のレール支持部材を、これに支持されたストッパレールと一緒に大きく回動させることにより、アクションを開放することが可能になり、それにより、アクションの調整やメンテナンスをさらに容易に行うことができる。
【００２０】
請求項４に係る発明は、請求項１ないし３のいずれかに記載のグランド型ピアノの消音機構において、駆動ロッドは、複数の鍵の全体にわたって延びる単一のロッドで構成されていることを特徴とする。
【００２１】
この構成によれば、駆動ロッドは、複数の鍵の全体にわたって延びる単一のロッドで構成されている。このため、駆動ロッドにより、複数のレール支持部材を介してストッパレール全体をバランス良く回動させることができ、ストッパレール全体を打弦許容位置および打弦阻止位置に精度良く移動させることができる。また、消音演奏モード時に衝突するハンマーを、ストッパレール全体でしっかりと支持することができ、適正な打弦阻止動作をさらに適切に行うことができる。
【図面の簡単な説明】
【００２２】
【図１】本発明の実施形態による消音機構、およびこれを適用したグランド型の消音ピアノの鍵盤装置を、通常演奏モードの離鍵状態において示す側断面図である。
【図２】図１の消音機構やハンマーなどを、離鍵状態において示す側面図である。
【図３】図１の消音機構やハンマーなどを、離鍵状態において示す斜視図である。
【図４】レール支持部材、駆動ロッドおよびロッド支持部材を拡大して示す側面図である。
【図５】駆動ロッドを示す斜視図である。
【図６】通常演奏モード中の消音機構の動作を説明するための図である。
【図７】消音演奏モード中の消音機構の動作を説明するための図である。
【発明を実施するための形態】
【００２３】
以下、図面を参照しながら、本発明の好ましい実施形態を詳細に説明する。図１は、本発明の実施形態による消音機構１を適用したグランド型の消音ピアノ２の鍵盤装置を、離鍵状態において示している。なお、以下の説明では、消音ピアノ２を演奏者から見た場合の手前側（同図の右側）を「前」、奥側（同図の左側）を「後」とし、さらに左側および右側をそれぞれ「左」および「右」として、説明を行うものとする。
【００２４】
この消音ピアノ２は、側板（図示せず）、棚板３およびフレーム（図示せず）などを組み立てたピアノ本体（図示せず）を備えている。
【００２５】
また、図１に示すように、消音ピアノ２は、棚板３に引出し自在に載置された筬４と、筬４に載置された複数の鍵５と、鍵５ごとに設けられ、弦Ｓを打弦するハンマー６（いずれも１つのみ図示）と、鍵５の押鍵に伴ってハンマー６を回動させるためのアクション１１と、本発明に係る消音機構１などを備えている。この消音ピアノ２では、演奏モードが、ハンマー６による弦Ｓの打弦を許容し、アコースティックな演奏音を発生させる通常演奏モードと、ハンマー６による打弦を阻止するとともに、鍵５の押鍵情報に応じ、楽音発生装置（図示せず）によって電子的な演奏音を発生させる消音演奏モードに、切り替えられる。
【００２６】
鍵５は、その中央に形成されたバランスピン孔（図示せず）を介して、筬４に立設されたバランスピン（図示せず）に回動自在に支持されている。また、弦Ｓは、ピアノ本体のフレームの前端部に打ち込まれた複数のチューニングピン（図示せず）と、これらのチューニングピンよりも後方に埋め込まれた複数のヒッチピン（図示せず）との間に水平に張られ、鍵５の上方において前後方向に延びている。
【００２７】
アクション１１は、ウィッペンレール７に取り付けられており、鍵５の後部上方に配置されている。ウィッペンレール７は、複数の鍵５の全体にわたって左右方向に延びており、筬４の左右の端部とその中間の所定の３つの位置に、互いに間隔を隔てて設けられた５つのブラケット９（１つのみ図示）に渡されている。また、アクション１１は、鍵５ごとに設けられたウィッペン１２、レペティションレバー１３およびジャック１４を有している。各ウィッペン１２は、その後端部において、ウィッペンレール７に回動自在に取り付けられており、鍵５の後部に載置されている。また、レペティションレバー１３およびジャック１４は、ウィッペン１２に回動自在に取り付けられている。
【００２８】
ハンマー６は、前後方向に延びるハンマーシャンク６ａと、ハンマーシャンク６ａの後端部に取り付けられたハンマーヘッド６ｂを有している。また、ハンマー６は、ハンマーシャンク６ａの前端部において、ハンマーシャンクフレンジ６ｃを介してハンマーシャンクレール８に回動自在に支持されており、図１に示す離鍵状態では、上述したレペティションレバー１３に載置されている。ハンマーシャンクレール８は、複数の鍵５の全体にわたって左右方向に延びており、上述した５つのブラケット９に渡されている。
【００２９】
図１〜図３に示すように、消音機構１は、ハンマー６による弦Ｓの打弦を阻止するためのストッパレール２１と、ストッパレール２１を支持する複数のレール支持部材２２（１つのみ図示）と、ストッパレール２１を駆動するための駆動ロッド２５と、駆動ロッド２５を支持する複数のロッド支持部材２７（１つのみ図示）と、駆動ロッド２５を駆動するための駆動機構３１を有している。なお、図２および図３では、便宜上、アクション１１などの一部の部品を省略している。
【００３０】
ストッパレール２１は、金属製の板材で構成され、複数の鍵５の全体にわたって、左右方向に延びており、弦Ｓとハンマー６の間に、ハンマーシャンク６ａの後部付近に対向するように配置されている。また、ストッパレール２１は、高中音域レールおよび低音域レールに区分されており、これらの高中音域レールおよび低音域レールは、高中音域および低音域の全体にわたって、それぞれ延びている。
【００３１】
さらに、ストッパレール２１には、各レール支持部材２２に対応する所定の位置に、上下方向に貫通する前後２つの孔（図示せず）がそれぞれ形成されている。ストッパレール２１は、ねじ２１ａを、これらの孔のそれぞれに上方から挿入し、ロックナット２１ｂを介して、レール支持部材２２の後述するねじ孔にねじ込むことにより、レール支持部材２２に固定されている。また、ねじ２１ａには、保持部材２１ｃが設けられている。この保持部材２１ｃはねじ２１ａにねじ込まれており、ストッパレール２１は、保持部材２１ｃとねじ２１ａの頭部に挟持されることによって、上下方向に動かないように保持されている。また、ストッパレール２１の高さ位置は、レール支持部材２２に対するねじ２１ａのねじ込み量を調整することによって、調整される。さらに、ストッパレール２１の下面には、レール支持部材２２に対応する部分を除いて、ゴムまたは発泡ウレタンなどの弾性材料で構成されたクッション材２１ｄが取り付けられている。
【００３２】
複数のレール支持部材２２は、ブラケット９に対応する位置に配置されている。図１〜４に示すように、各レール支持部材２２は、曲げ加工された金属板で構成されており、本体部２２ａと、この本体部２２ａから前方に延びるアーム部２２ｂを一体に有している。本体部２２ａの上端部は、左方または右方に若干、延びる取付部２２ｃになっており、この取付部２２ｃには、上述したねじ２１ａをねじ込むためのねじ孔（図示せず）が形成されている。また、本体部２２ａの下端部には、上壁、下壁および背壁を有する、側断面がＵ字状の係合部２２ｄが設けられている。さらに、レール支持部材２２は、アーム部２２ｂの前端部において、ピン状の支点２２ｅを介して上記のロッド支持部材２７に回動自在に取り付けられている。以上の構成により、レール支持部材２２は、ストッパレール２１とともに、支点２２ｅを中心として回動自在になっている。
【００３３】
図５に示すように、駆動ロッド２５は、１本の丸棒で構成されており、すべての鍵５にわたって左右方向に延びている。駆動ロッド２５には、レール支持部材２２に対応する位置に、５つの押圧部２６が設けられている。各押圧部２６は、駆動ロッド２５から径方向の外方に突出する本体部２６ａと、本体部２６ａの先端から右方または左方に屈曲する屈曲部２６ｂとからＬ字状に形成されており、この屈曲部２６ｂには、ゴムなどの弾性材料で構成されたキャップ２６ｃが取り付けられている。図４などに示すように、この屈曲部２６ｂは、レール支持部材２２の係合部２２ｄに係合している。
【００３４】
複数のロッド支持部材２７は、レール支持部材２２と同様、ブラケット９に対応する位置に配置されている。図１〜図４に示すように、各ロッド支持部材２７は、例えば曲げ加工された金属板で構成されており、その前端部が左方または右方に若干、延びる第１被取付部２７ａになっており、この第１被取付部２７ａにおいて、前述したハンマーシャンクレール８にねじ止めされている。また、ロッド支持部材２７の後側の下端部は、左方または右方に若干、延びる第２被取付部２７ｂになっており、ロッド支持部材２７は、第２被取付部２７ｂにおいて、前述したウィッペンレール７にねじ止めされている。さらに、ロッド支持部材２７の前部には、左右一対の側壁から成る第１取付部２７ｃが設けられており、第１取付部２７ｃには、取付孔が左右方向に貫通するように形成されている。レール支持部材２２は、これらの取付孔に上述した支点２２ｅを通すことによって、ロッド支持部材２７に回動自在に取り付けられている。
【００３５】
さらに、ロッド支持部材２７の後端部は、左方または右方に若干、延びる第２取付部２７ｄになっており、この第２取付部２７ｄには、駆動ロッド２５を取り付けるための金具２８が設けられている。この金具２８は、側断面が半円状の本体部２８ａと、この本体部２８ａの前端から上下に延びる被取付部２８ｂ，２８ｂで構成されており、各被取付部２８ｂには、前後方向に貫通する孔が形成されている。金具２８は、駆動ロッド２５を本体部２８ａに通した状態で、ねじ２８ｃを、各被取付部２８ｂの孔を介して第２取付部２７ｄにねじ込むことにより、取り付けられている。これにより、駆動ロッド２５は、その軸線を中心として、ロッド支持部材２７に回動自在に支持されている。また、複数のロッド支持部材２７のうち、最も左側（低音側）に配置されたものの下部には、左方に突出する突起２７ｅが設けられている（図２および図４参照）。
【００３６】
図２に示すように、前述した駆動機構３１は、演奏モードを切り替えるための操作レバー（図示せず）と、この操作レバーの操作に伴って連動することにより、駆動ロッド２５を駆動する駆動レバー３２および押圧レバー３７を有している。
【００３７】
同図に示すように、駆動レバー３２は、押圧レバー３７の前側に配置されている。また、駆動レバー３２は、駆動ロッド２５に固定されたレバー本体３３と、このレバー本体３３に設けられ、押圧レバー３７に接触する接触部材３４などで構成されている。
【００３８】
レバー本体３３は、曲げ加工された金属板で構成されており、互いに間隔を隔てて配置された左右の側壁３３ａ，３３ａと、両側壁３３ａ，３３ａの前端を互いに連結する前壁３３ｃを一体に有している。また、両側壁３３ａ，３３ａには、互いに対向する位置に、左右方向に貫通する被取付孔３３ｄ，３３ｄがそれぞれ形成されている。さらに、前壁３３ｃには、これらの被取付孔３３ｄ，３３ｄに対応する位置に、前後方向に貫通する孔（図示せず）が形成されている。以上の構成のレバー本体３３は、被取付孔３３ｄ，３３ｄに駆動ロッド２５を挿入した状態で、ねじ（図示せず）を、前壁３３ｃの孔を介して、駆動ロッド２５にねじ込むことにより、駆動ロッド２５の左端部に一体に固定されている。これにより、レバー本体３３は、駆動ロッド２５の軸線を中心として、駆動ロッド２５と一体に回動自在になっている。
【００３９】
また、左側壁３３ａの前側の上端部には、取付孔３３ｈが形成されている。この取付孔３３ｈには、引張コイルばねで構成された第１ばね３６の一端部が掛け止めされており、第１ばね３６の他端部は、前述したロッド支持部材２７の突起２７ｅに掛け止めされている。この第１ばね３６によって、レバー本体３３は、駆動ロッド２５とともに、図２の時計回りに付勢されている。
【００４０】
接触部材３４は、曲げ加工された金属板で構成され、側壁３４ａと、側壁３４ａの後端から右方に延びる後壁（図示せず）とから、上下方向に直交する断面がＬ字状に形成されている。また、接触部材３４は、レバー本体３３の左側壁３３ａに回動自在に取り付けられている。
【００４１】
図２に示すように、押圧レバー３７は、本体部３８と、本体部３８に設けられたローラ３９を有している。本体部３８は、上下方向に延びる基部３８ａと、基部３８ａの途中から後方に若干、延びる被支持部３８ｂを一体に有しており、金属板を曲げ加工することによって、上下方向に直交する断面がＵ字状に形成されている。被支持部３８ｂには、左右方向に貫通する孔が形成されており、押圧レバー３７は、駆動ロッド２５と平行に左右方向に延びるピン状のレバー支点４１に、この孔を通すことによって、レバー支点４１を中心として回動自在に支持されている。レバー支点４１は、消音ピアノ２のピアノ本体に固定された金具（いずれも図示せず）に設けられている。
【００４２】
また、基部３８ａの上端部には、左右の両外側に突出するピン３８ｃが設けられており、このピン３８ｃに、上記のローラ３９が回動自在に取り付けられている。ローラ３９は、本体部３８よりも前側に突出しており、駆動レバー３２の接触部材３４に、後方から接触している。さらに、基部３８ａの上端部には、ピン３８ｃよりも後ろ側に、取付孔３８ｄが形成されている。この取付孔３８ｄには、引張コイルばねで構成された第２ばね４２の一端部が掛け止めされており、第２ばね４２の他端部は、ピアノ本体に固定された上記の金具に掛け止めされている。この第２ばね４２によって、押圧レバー３７は、図２の反時計回りに付勢されている。また、基部３８ａの下端部には、接続部材３８ｅが、左右方向に延びる軸線を中心として回動自在に設けられている。この接続部材３８ｅには、ワイヤ５１の一端部が接続されており、ワイヤ５１の他端部は、前述した操作レバーに接続されている。このワイヤ５１には、消音演奏モード中、操作レバーの操作に伴って引張力が作用し、ワイヤ５１をそのように引張力が作用した状態に保持するための保持機構が設けられている。
【００４３】
次に、図６および図７を参照しながら、各演奏モードにおける消音機構１の動作について、アクション１１やハンマー６の動作とともに説明する。通常演奏モードで演奏を行う場合には、操作レバーは非操作状態に保持される。この状態では、押圧レバー３７は、第２ばね４２の付勢力によって、図６の反時計回りに回動した位置にあり、駆動レバー３２は、第１ばね３６の付勢力によって、駆動ロッド２５とともに、同図の時計回りに回動した位置にある。これにより、通常演奏モード中、駆動ロッド２５の押圧部２６が、レール支持部材２２を介してストッパレール２１を上方に押圧することによって、ストッパレール２１は、図６に示す上方の打弦許容位置に保持される。
【００４４】
この状態で、鍵５が押鍵されると、鍵５がバランスピンを中心として、図１の時計回りに回動するのに伴い、アクション１１の前述したウィッペン１２が、鍵５によって突き上げられる。これにより、ウィッペン１２は、レペティションレバー１３およびジャック１４と一緒に上方に回動し、この回動に伴い、ジャック１４がハンマー６を突き上げることによって、ハンマー６が図６の時計回りに回動する。その結果、図６に示すように、ハンマー６のハンマーヘッド６ｂが、弦Ｓを打弦し、通常演奏モードによる演奏が行われる。
【００４５】
この通常演奏モードから、演奏モードを消音演奏モードに設定するために、操作レバーが操作されると、それにより、ワイヤ５１が操作レバー側に引っ張られることによって、押圧レバー３７の接続部材３８ｅが後方に移動する結果、押圧レバー３７は、第２ばね４２の付勢力に抗して、図６の時計回りに回動した後、ストッパ（図示せず）に当接する。この押圧レバー３７の回動に伴い、ローラ３９が、接触部材３４に沿って下方に摺動しながらこれを前方に押圧し、それにより、駆動レバー３２が、駆動ロッド２５とともに、第１ばね３６の付勢力に抗して図６の反時計回りに回動する。これにより、駆動ロッド２５の押圧部２６が、レール支持部材２２を介してストッパレール２１を下方に押圧することによって、ストッパレール２１は、図７に示す下方の打弦阻止位置に移動し、保持される。
【００４６】
この状態で、鍵５が押鍵されると、上述した通常演奏モードの場合と同様、ハンマー６が図７の時計回りに回動する。この回動の途中、図７に示すように、ハンマーヘッド６ｂが弦Ｓを打弦する直前で、ハンマーシャンク６ａの後部が、打弦阻止位置に位置するストッパレール２１に、クッション材２１ｄを介して当接することにより、ハンマー６のそれ以上の回動が阻止される結果、打弦が阻止される。これに伴い、前述した楽音発生装置から演奏音が発生し、消音演奏モードによる演奏が行われる。
【００４７】
以上のように、本実施形態によれば、各ロッド支持部材２７は、ウイッペンレール７やハンマーシャンクレール８、ブラケット９などを介して、アクション１１を配置した筬４に設けられるとともに、各レール支持部材２２は、各ロッド支持部材２７に回動自在に取り付けられている。また、ストッパレール２１は、各レール支持部材２２にねじ止めされるとともに、駆動ロッド２５は、ロッド支持部材２７に回動自在に支持されている。このように、ロッド支持部材２７、レール支持部材２２、ストッパレール２１および駆動ロッド２５がいずれも、アクション１１を配置した筬４側に設けられているので、ピアノ本体の寸法精度および組立精度のずれや、筬４とピアノ本体との位置関係のずれに影響されることなく、消音機構１を容易に精度良く組み立てることができる。その結果、ストッパレール２１を所定の打弦許容位置および打弦阻止位置に精度良くセットできることにより、ストッパレール２１の安定して適正な打弦許容動作および打弦阻止動作を確保することができる。
【００４８】
また、ロッド支持部材２７、レール支持部材２２、ストッパレール２１および駆動ロッド２５がいずれも、棚板３に沿って引出し自在の筬４側に設けられていることにより、アクション１１を筬４とともに棚板３から引き出した状態で、消音機構１を分離することなく、その調整やメンテナンスを一括して容易に行うことができる。
【００４９】
また、ストッパレール２１を支持する各レール支持部材２２と駆動ロッド２５がいずれも、共通のロッド支持部材２７に取り付けられている。このため、駆動ロッド２５とレール支持部材２２を別個の部材に取り付ける場合と比較して、駆動ロッド２５とストッパレール２１との位置関係のずれを抑制でき、その結果、駆動ロッド２５による、ストッパレール２１の打弦許容位置および打弦阻止位置への移動を、さらに精度良く行うことができる。
【００５０】
また、各レール支持部材２２の係合部２２ｄは、Ｕ字状であることにより、筬４を棚板３から引き出した状態で、Ｕ字状の開口を介して係合部２２ｄと押圧部２６の係合状態を解除することによって、レール支持部材２２を駆動ロッド２５に対して容易に着脱することができる。このため、アクション１１の調整やメンテナンスを行う際に、レール支持部材２２を、これに支持されたストッパレール２１と一緒に上方に大きく回動させることにより、ストッパレール２１をアクション１１から退避させるとともに、アクション１１を開放することが可能になり、それにより、アクション１１の調整やメンテナンスをさらに容易に行うことができる。
【００５１】
また、駆動ロッド２５は、複数の鍵５の全体にわたって延びる単一のロッドで構成されている。このため、駆動ロッド２５により、レール支持部材２２を介してストッパレール２１全体をバランス良く回動させることができ、ストッパレール２１全体を打弦許容位置および打弦阻止位置に精度良く移動させることができる。また、消音演奏モード時に衝突するハンマー６のハンマーシャンク６ａを、ストッパレール２１全体でしっかりと支持することができ、適正な打弦阻止動作をさらに適切に行うことができる。
【００５２】
なお、本発明は、説明した実施形態に限定されることなく、種々の態様で実施することができる。例えば、実施形態では、ストッパレール２１を、高中音域レールと低音域レールに区分しているが、複数の鍵５の全体にわたって延びる１つのストッパレールにしてもよい。また、実施形態では、レール支持部材２２を、ロッド支持部材２７に回動自在に取り付けているが、ロッド支持部材２７と別個の部材に取り付けてもよい。さらに、実施形態では、レール支持部材２２の係合部２２ｄはＵ字状であるが、他の形状にすることも可能である。その他、本発明の趣旨の範囲内で、細部を適宜、変更することが可能である。
【符号の説明】
【００５３】
１  消音機構
２  消音ピアノ
３  棚板
４  筬
５  鍵
６  ハンマー
１１  アクション
２１  ストッパレール
２２  レール支持部材
２２ｂ  係合部
２５  駆動ロッド
２６  押圧部
２７  ロッド支持部材
３１  駆動機構
Ｓ  弦
【図１】
2010224026.tif 000003
【図２】
2010224026.tif 000004
【図３】
2010224026.tif 000005
【図４】
2010224026.tif 000006
【図５】
2010224026.tif 000007
【図６】
2010224026.tif 000008
【図７】
2010224026.tif 000009